(57)【特許請求の範囲】
【請求項１】
迷彩模様を有する布帛から構成される野戦装備製品であって、前記迷彩模様がオオウチ錯視図形を取り入れたものであることを特徴とする野戦装備製品。
【請求項２】
前記野戦装備製品が、衣服、テント、カバー、鞄、靴、又は帽子である請求項１記載の野戦装備製品。
【発明の詳細な説明】
【技術分野】
【０００１】
本発明は、野戦装備製品として好適な偽装製品に関するものであり、詳しくは、錯視図形を取り入れた迷彩模様を有する偽装製品に関するものである。
【背景技術】
【０００２】
従来から、種々の偽装製品が提案されている。偽装製品とは、草木、砂漠、建造物などの背景と調和して相手方から発見され難い効果、すなわちカムフラージュ効果（偽装効果）を有するもの一般をいい、主に戦闘地域又は戦闘が想定される場所において使用される。
【０００３】
偽装製品には、通常、偽装効果を発現させるための迷彩模様が付されており、迷彩模様として、非特許文献１に例示される模様が知られている。そして、迷彩模様として多段階の異なる赤外線反射率を示す迷彩模様を採用すると、偽装効果がより高まることが知られている（例えば、特許文献１参照）。
【先行技術文献】
【特許文献】
【０００４】
【非特許文献１】意匠第１０１９５０３号公報
【特許文献１】特許第２８４７２９０号公報
【発明の概要】
【発明が解決しようとする課題】
【０００５】
これまでに、森林や草原などの自然環境に対し優れた偽装効果を発現する偽装製品が多数提案されている。しかし、従来の偽装製品では、偽装効果が静止状態において評価されており、偽装製品の多くが主に動きを伴う野戦装備品に用いられる点に鑑みれば、むしろ動きを伴う状態において評価されるべきである。ところが、動きを伴う状態における偽装効果については、一切検討されていない。つまり、静止状態において優れた偽装効果を奏していても、自身が動くか又は木々、草などの背景が揺れ動くと、背景との調和が崩れる結果、偽装効果が低下すると考えられるから、使用の際はこの点を補うための手段について検討すべきである。しかし、この点については一切検討されていないのが実情である。
【０００６】
本発明は、従来技術の欠点を解消するものであり、自身の動き又は背景の動きにより背景との調和が崩れた場合においても、偽装効果の低減を効果的に抑えることができる偽装製品を提供することを目的とする。
【課題を解決するための手段】
【０００７】
本発明者は、上記課題を解決するために鋭意検討した結果、迷彩模様に錯視図形を取り入れることで、動きによる偽装効果の低下を抑えることができることを知見し、本発明をなすに至った。
【０００８】
すなわち、本発明は、迷彩模様を有する布帛から構成される偽装製品であって、前記迷彩模様が錯視図形を取り入れたものであることを特徴とする偽装製品を要旨とするものである。
【発明の効果】
【０００９】
本発明の偽装製品には、錯視図形を取り入れた迷彩模様が付されているため、動きによる偽装効果の低下を効果的に抑えることができる。また、錯視図形によっては、相手方を視覚的又は心理的に錯乱可能なものがあり、そのような錯視図形を採用することで、さらに付加価値を付けることもできる。
【図面の簡単な説明】
【００１０】
【図１】本発明に好ましく採用できる迷彩模様の一例を示す概略図である。
【発明を実施するための形態】
【００１１】
以下、本発明について詳細に説明する。
【００１２】
本発明の偽装製品は、特定の迷彩模様を有する布帛から構成される。
【００１３】
布帛を構成する繊維素材としては、コットン、麻類等の天然セルロース繊維、ビスコースレーヨン、銅アンモニアセルロース、溶剤紡糸セルロース等の再生セルロース繊維、アセテート等の半合成セルロース繊維、羊毛、シルク等の天然タンパク質繊維、ポリエステル、脂肪族ポリアミド、アクリル、ポリビニルアルコール、ビニロン、芳香族ポリアミド、ポリ乳酸等の繊維素材が使用でき、これらを単独あるいは複数組み合わせて使用する。繊維の形態としても、特に限定されず、長短繊維のいずれでもよい。また、布帛の形態としても織物、編物、不織布等、縫製が可能なものであれば、どのようなものでもよい。
【００１４】
布帛の一例をあげると、経緯糸に３０番手双糸の綿糸を配し、経糸密度１１５本／２．５４ｃｍ、緯糸密度５５本／２．５４ｃｍで織り上げた綾織物があげられる。
【００１５】
また、迷彩模様としては、森林、草原、砂漠等の色を想定したグリーン系、ブラウン系、ブラック系、ホワイト系等の色を複数組み合わせ、葉や樹木のような模様を形成することで、迷彩模様とすることができる。
【００１６】
布帛表面に迷彩模様を付す方法としては、特に限定されないが、通常、上記色彩の染料、顔料等を使用して、インクジェットプリント、フラットスクリーンプリント、ロータリースクリーンプリント等の方法で印刷するのがよい。
【００１７】
次に、錯視図形について説明する。本発明では、錯視図形における錯覚のメカニズムを取り入れた迷彩模様を採用する。これにより、布帛自身の動き又は背景（自然環境）の動きにより背景との調和が多少崩れても、錯覚効果により偽装効果の低減を効果的に抑えることができる。
【００１８】
錯視図形としては、任意のものが採用できる。例えば、静止図形が動いて見えたり、本来は同じ大きさの図形同士が異なる大きさに見えたり、本来平行である直線が右上がり又は右下がりに見えるといったような図形が採用できる。なお、錯覚のメカニズムについては、現段階では十分に解明されているとは言い難く、脳医学、心理学、数学等といった様々な観点から研究がなされている。そして、新たな発想のもと、新たな錯視図形が次々と考案されている。
【００１９】
本発明の偽装製品は、このような特定の迷彩模様を有する布帛から構成される。この場合、偽装製品は、かかる迷彩模様を有する布帛のみから構成されているのが最も好ましいが、本発明の効果を損なわない範囲であれば、当該布帛以外の布帛を併用してもよい。具体的には、偽装製品中、当該迷彩模様を有する布帛が２０質量％以上の割合で使用されていることが好ましく、５０％質量以上がより好ましい。使用割合が２０％未満になると、所望の偽装効果が得られ難くなる。
【００２０】
本発明の偽装製品の用途としては、野戦装備品全般に適用でき、例えば、衣服、テント、カバー、鞄、靴、帽子などに使用できる。中でも衣服に好ましく使用できる。
【００２１】
衣服に使用する場合、衣服の形態としては、特に限定されない。例えば、ジャケット・ブルゾンの類である上衣と、ズボン・パンツの類である下衣とから構成されるもの、上衣と下衣とが一体化したワンピースタイプのものなどがあげられる。この場合、本発明の偽装製品を、上衣下衣の両方に適用してもよく、上衣と下衣とのいずれか一方に適用してもよい。
【実施例】
【００２２】
具体例として、「オオウチ錯視」の図形の考え方を取り入れた迷彩模様を図１に例示する。オオウチ錯視とは、白と黒の長方形の市松模様を縦長に描いたものと横長に描いたものとを組み合わせたものである。図形全体を斜めに動かすと、図形の一部が小刻みに動くように見えるというものである。この「オオウチ錯視」の考え方を迷彩模様の中に取り入れるには、例えば、模様全体をグリーン系、ブラウン系、ブラック系といった配色とし、葉や樹木を模した模様を形成した上で、当該葉や樹木を模した模様毎に市松模様の方向を変えることにより、取り入れることができる。
【００２３】
このような錯視図形のメカニズムを取り入れることで、自身は動いていなくても相手方からは動いているように見え、特にその動きは小刻みであるために、相手方は草木の揺れがあるなど何らかの自然現象があると認識する。そのような認識を予め相手に与えておくと、自身が動くか又は背景（草木などの自然環境）が動くなどして揺らぎが大きくなってもすなわち背景との調和が多少崩れたとしても、元々自然現象に由来する揺らぎがあると認識しているから、揺らぎの大きさに多少変動があったところですなわち多少調和が崩れたとしても、相手方はそれを現認し難くなる。つまり動きに起因する偽装効果の低減を抑えることができる。そして、このような動きがあると錯覚させる錯視図形を採用すると、相手方を視覚的又は心理的に錯乱することができる場合もあり、野戦装備品として好ましい性能を発揮できるようになる。
【００２４】
錯視図形としては、「オオウチ錯視」に限定されるものでなく、別の図形も採用できる。例えば、立命館大学の北岡明佳氏が考案した「豆の左回転」なるものがある。図形本体の輝度とバックの輝度とを異ならせることにより、錯覚を生むというもので、円形に配置した「豆」が回転しているように見える錯視図形である。このように実際は静止しているにも関わらず、あたかも動いているかのように錯覚させる図形は、上記した偽装効果の低減抑制、視覚的又は心理的な錯乱効果の付与という観点から特に好ましいものである。
【００２５】
その他、採用できる錯視図形としては、「青緑色のブロック」、「静かな波」、「踊るハート」、「蛇の回転」などがあげられる。本発明では、これらの錯視図形を単独で又は複数組み合わせて取り入れればよい。
【図１】
0006364270.tif 000002